(57)【特許請求の範囲】
【請求項１】
テープ（２）と、このテープ両端に設けた左右封緘具本体（４，６）からなる封緘具であって、
各封緘具本体（４，６）は、雌部材（８）と、雄部材（１２）と、両者の中間に位置する中央部材（１０）からなり、
前記雌部部材（８）は、上下に貫通する貫通孔（１４）を有し、その貫通孔（１４）は、内部側面に段部（１４ａ）を有しており、
前記雄部材（１２）の先端は、嵌合時に前記小突起（１４ａ）と係合するかえり突起（１２ｃ）となっており、
前記中央部材（１０）はその内部をテープ（２）が貫通している
ことを特徴とする封緘具。
【請求項２】
前記雄部材（１２）は、両側部（１２ｂ）に挟まれた深い溝（１２ａ）があって、Ｕ字状である請求項１記載の封緘具。
【請求項３】
テープ（２）と、このテープ両端に設けた左右封緘具本体（１６，１８）からなる封緘具であって、
一方の封緘具本体（１６）は、両端に位置する雌部材（２０）と、両者の中間に位置する中央部材（２２）からなり、
前記雌部部材（２０）は、上下に貫通する貫通孔（２４）を有し、その貫通孔（２４）は、内部側面に小突起（２４ａ）を有しており、
他方の封緘具本体（１８）は、両端に位置する雄部材（２６）と、両者の中間に位置する中央部材（２８）からなり、
前記雄部材（２６）は、基部（２６ａ）から突出する突起（２６ｂ）であり、その先端は、嵌合時に前記小突起（２４ａ）と係合するかえり突起（２６ｃ）となっており、
前記中央部材（２８）はその内部をテープ（２）が貫通している
ことを特徴とする封緘具。
【請求項４】
左右封緘具本体（４，６；１６，１８）の取付方向を調節してリング型とした請求項１ないし３のいずれかに記載の封緘具。
【請求項５】
左右封緘具本体（４，６；１６，１８）の取付方向を調節して滴型とした請求項１ないし３のいずれかに記載の封緘具。
【発明の詳細な説明】
【０００１】
【発明の属する技術分野】
本発明は、一度何かに取り付けたら最後、それを外すには破壊しなければならないような封緘具に関する。この封緘具は、例えば商品タグを商品に取り付けたり、新生児の取り違えを防ぐための名札を足バンドに取り付けたりするのに使用される。封緘具の破壊は、封緘具自体ではなく、通常、封緘具に付属している紐部分をはさみで切断することにより行われる。
【０００２】
【従来の技術】
現在、商品タグを商品（例えば、衣服）に取り付ける封緘具としては、環状になった細いプラスチック紐がよく使用されている。購入後、商品タグを外すにはこのプラスチック紐をはさみ等で切断している。
【０００３】
【発明が解決しようとする課題】
上記環状のプラスチック紐を現場で取り付けるには熱溶着用の特殊な器具が必要である。
【０００４】
本発明はそのような器具を必要とせず、作業員の手作業で取付可能な封緘具を提供することを目的とする。
【０００５】
【課題を解決するための手段】
本発明は、第１の観点では、テープと、テープ両端に設けた左右封緘具本体からなる封緘具であって、各封緘具本体は、雌部材と、雄部材と、両者の中間に位置する中央部材からなり、前記雌部部材は、上下に貫通する貫通孔を有し、その貫通孔は、内部側面が傾斜していると共に内部に小突起を有し、前記雄部材の先端は、嵌合時に前記小突起と係合するかえり突起となっており、中央部材はその内部をテープが貫通していることを特徴とする。
【０００６】
第２の観点では、本発明は、テープと、このテープ両端に設けた左右封緘具本体からなる封緘具であって、一方の封緘具本体は、両端に位置する雌部材と、両者の中間に位置する中央部材からなり、前記雌部部材は、上下に貫通する貫通孔を有し、その貫通孔は、内部側面に段部を有しており、他方の封緘具本体は、両端に位置する雄部材と、両者の中間に位置する中央部材からなり、前記雄部材は、基部から突出する突起であり、その先端は、嵌合時に前記小突起と係合するかえり突起となっており、前記中央部材はその内部をテープが貫通していることを特徴とする。
【０００７】
【発明の実施の態様】
前記雄部材は、両側部に挟まれた深い溝を設けて、Ｕ字状とすることが好ましい。左右封緘具本体の取付方向を調節してリング型としたり、滴型としたりすることもできる。
【０００８】
【実施例】
以下、添付の図面に基づき本発明の実施例を説明する。
【０００９】
第１実施例
図１は使用前の紐付き封緘具の平面図、図２は使用状態の紐付き封緘具の斜視図である。図３（ａ）は、封緘具本体４の一方から見た斜視図であり、（ｂ）は他方から見た斜視図である。図４（ａ）は、はめ合い前の左右封緘具の左側面図、（ｂ）は正面図、（ｃ）は右側面図である。図５（ａ）は、はめ合い後の左右封緘具の左側面図、（ｂ）は正面図、（ｃ）は右側面図である。
【００１０】
図１、図２に示すように、本発明の封緘具は所望長さのテープ２とその両端に取り付けた封緘具本体４，６からなる。テープ末端２ａは封緘具本体から若干突出しているが、この部分はなくてもよい。左右封緘具同士をはめ合わせたとき、環状となり、外すことができなくなる。左右封緘具本体４，６は同じものであり、逆方向にして組み合わせることにより、一体化する。左右封緘具本体４，６は同じものであるので、説明の便宜上片方のみ構造を説明する。
【００１１】
封緘具本体４は、大きく分けて３つの部分からなる。図３において左下に位置する雌部材８と、右上に位置する雄部材１２と、中間に位置する中央部材１０である。
【００１２】
雌部部材８は、中央部材よりも肉厚であり、上下に貫通する断面四角形の貫通孔１４を有する。貫通孔１４は、図３（ａ）側の方が（ｂ）側よりも大きく、内部で段部１４ａが形成されている（図４（ａ）（ｃ）参照）。
【００１３】
中央部材１０はテープ２とほぼ等しい長さの直方体部材であり、その内部をテープ２が貫通している。
【００１４】
雄部材１２は、図３（ｂ）に示すように、テープ方向の幅が、雌部材８や中央部材１０よりも狭い。雌部材１２は、図４（ａ）（ｃ）に示すように、深い溝１２ａが両側部１２ｂに挟まれており、Ｕ字状である。両側部の先端は、左右に爪を伸ばしてかえり突起１２ｃとなっている。
【００１５】
図５に示すはめ合い状態では、雄部材１２が雌部材８の貫通孔１４に挿入される。その際、雌部材の溝１２ａがすぼまって容易に浸入可能である。結合完成時には、雄部材のかえり突起１２ｃが雌部材の段部１４ａと係合して、もはや逆戻りはできなくなる。すなわち、いったん、はめ合ったら最後、はめ合いを外すことはできない。この封緘を外すにはテープ部分をはさみで切断するしかない。
【００１６】
第２実施例
図６，図７は本発明の第２実施例である。封緘具は第１実施例と同じものを使用する。従って、符号も同じものを使用して詳細な説明は省略する。ただし、テープ面に対して同じ側の上下を反転させているだけなので、はめ合い時に、リング型でなく、滴型となる点が異なる。
【００１７】
第３実施例
図８ないし図１０は本発明の第３実施例である。図８は使用前の紐付き封緘具の平面図、図９は使用状態の紐付き封緘具の斜視図である。図１０（ａ）は、はめ合い前の左右封緘具の左側面図、（ｂ）は正面図である。右側面図は左側面図と対称に現れる。図１１（ａ）は、はめ合い後の左右封緘具の左側面図、（ｂ）は正面図である。右側面図は左側面図と対称に現れる。
【００１８】
図８、図９に示すように、本発明の封緘具は所望長さのテープ２とその両端に取り付けた封緘具本体１６，１８からなる。テープ末端２ａは封緘具本体から若干突出しているが、この部分はなくてもよい。左右封緘具同士をはめ合わせたとき、環状となり、外すことができなくなる。左右封緘具本体１６，１８は第１、第２実施例と異なり同じではない。
【００１９】
左封緘具本体１６は、大きく分けて３つの部分からなる。図８において上下に位置する雌部材２０と、中間に位置する中央部材２２である。
【００２０】
雌部部材２０は、中央部材２２よりも肉厚であり、上下に貫通する断面四角形の貫通孔２４を有する。貫通孔２４は、図１０（ｃ）に示すように、内部に小突起２４ａを有する。
【００２１】
中央部材２２はテープ２とほぼ等しい長さの直方体部材であり、その内部をテープ２が貫通している。
【００２２】
右封緘具本体１８は、大きく分けて３つの部分からなる。図８において上下に位置する雄部材２６と、中間に位置する中央部材２８である。
【００２３】
雄部材２６は、図１０（ａ）（ｂ）に示すように、基部２６ａから上方に突出する突起２６ｂである。突起先端は外方向に向かうかえり突起２６ｃとなっている。
【００２４】
図１１に示すはめ合い状態では、雄部材２６が雌部材２０の貫通孔２４に挿入される。結合完成時には、雄部材のかえり突起２６ｃが雌部材の小突起２４ａと係合して、もはや逆戻りはできなくなる。すなわち、いったん、はめ合ったら最後、はめ合いを外すことはできない。この封緘を外すにはテープ部分をはさみで切断するしかない。
【００２５】
図示しないが、第１実施例と同様、封緘具の配置を変更することにより、はめ合い時に、リング型でなく、滴型とすることもできる。
【００２６】
【発明の効果】
本発明の封緘具は、紐の両端に封緘具本体を有するものであって、左右封緘具本体を単にはめ合わせることにより、結合可能であって、現場で特別な器具を必要としない。
【００２７】
さらに、第１，第２実施例の場合、左右封緘具本体は全く同じ構造なので、金型製作のコストを削減できる。
【図面の簡単な説明】
【図１】本発明第１実施例に係る使用前の紐付き封緘具の平面図である。
【図２】本発明第１実施例に係る使用状態の紐付き封緘具の斜視図である。
【図３】（ａ）は、本発明第１実施例に係る封緘具本体４の一方から見た斜視図であり、（ｂ）は他方から見た斜視図である。
【図４】（ａ）は、本発明第１実施例に係るはめ合い前の左右封緘具の左側面図、（ｂ）は正面図、（ｃ）は右側面図である。
【図５】（ａ）は、本発明第１実施例に係るはめ合い後の左右封緘具の左側面図、（ｂ）は正面図、（ｃ）は右側面図である。
【図６】本発明の第２実施例に係る封緘具であって、使用前の紐付き封緘具の平面図である。
【図７】本発明の第２実施例に係る封緘具であって、使用状態の紐付き封緘具の平面図である。
【図８】本発明第３実施例に係る使用前の紐付き封緘具の平面図である。
【図９】本発明第３実施例に係る使用状態の紐付き封緘具の斜視図である。
【図１０】（ａ）は、本発明第３実施例に係るはめ合い前の左右封緘具の左側面図、（ｂ）は正面図、である。
【図１１】（ａ）は、本発明第３実施例に係るはめ合い後の左右封緘具の左側面図、（ｂ）は正面図である。
【符号の説明】
２     テープ
（第１，第２実施例）
４，６ 左右封緘具本体
８     雌部材
１０   中央部材
１２   雄部材
１２ａ  溝
１２ｃ かえり突起
１４   貫通孔
１４ａ 段部
（第３実施例）
１６   一方の封緘具本体
１８   他方の封緘具本体
２０   雌部材
２２   中央部材
２４   貫通孔
２４ａ 小突起
２６   雄部材
２６ａ  基部
２６ｂ 突起
２６ｃ かえり突起
２８   中央部材
【図１】
0003939912.tif 000002
【図２】
0003939912.tif 000003
【図３】
0003939912.tif 000004
【図４】
0003939912.tif 000005
【図５】
0003939912.tif 000006
【図６】
0003939912.tif 000007
【図７】
0003939912.tif 000008
【図８】
0003939912.tif 000009
【図９】
0003939912.tif 000010
【図１０】
0003939912.tif 000011
【図１１】
0003939912.tif 000012